(57)【要約】【課題】内容物をスムーズに供給できる振り出しキャップを提供する。【解決手段】本発明に係る振り出しキャップ１２は、内容物が収容される容器本体１１に装着され、内容物を振り出す振出口４５を有するキャップ本体２１と、キャップ本体２１の内側において、振出口４５に対して接近離間可能に配設された可動部７２と、可動部７２に連係するとともに、キャップ本体２１に設けられ、キャップ本体２１の外側から可動部７２を操作する操作部４６と、を備えている。【選択図】図１
2019189273.tif 000002
【特許請求の範囲】
【請求項１】
内容物が収容される容器本体に装着され、内容物を振り出す振出口を有するキャップ本体と、
前記キャップ本体の内側において、前記振出口に対して接近離間可能に配設された可動部と、
前記可動部に連係するとともに、前記キャップ本体に設けられ、前記キャップ本体の外側から前記可動部を操作する操作部と、を備えている振り出しキャップ。
【請求項２】
前記キャップ本体は、前記可動部の往復移動を案内するガイド部を備えている請求項１に記載の振り出しキャップ。
【請求項３】
前記操作部は、弾性変位可能に、前記キャップ本体と一体に形成され、
前記可動部は、前記操作部とは別体で形成され、前記操作部に取り付けられている請求項１又は請求項２に記載の振り出しキャップ。
【請求項４】
前記可動部は、前記振出口に向かうに従い先細る先鋭形状部分を有する請求項１から請求項３の何れか１項に記載の振り出しキャップ。
【請求項５】
前記可動部は、前記振出口の開口方向から見た平面視で、前記振出口の少なくとも一部と重なり合うとともに、前記振出口に対して前記開口方向に移動可能に構成されている請求項１から請求項４の何れか１項に記載の振り出しキャップ。
【請求項６】
前記可動部は、前記振出口に接近した接近位置において、前記振出口との間に隙間を有し、前記振出口と前記キャップ本体の内側とが連通している請求項５に記載の振り出しキャップ。
【請求項７】
前記可動部は、前記振出口に接近した接近位置で前記振出口を閉塞し、前記振出口から離間した離間位置で前記振出口を開放する請求項５に記載の振り出しキャップ。
【発明の詳細な説明】
【技術分野】
【０００１】
本発明は、振り出しキャップに関する。
【背景技術】
【０００２】
粒径の小さい内容物（例えば、粉体や粒体等）を振り出して供給する振り出し容器として、例えば下記特許文献１の構成が開示されている。この種の振り出し容器は、内容物が収容された容器本体に、複数の振出口を有する振り出しキャップが取り付けられて構成されている。
【０００３】
上述した振り出し容器では、振出口が下向きになるように振り出し容器を傾けた状態で、振り出し容器を振ると、振り出し容器内の内容物が振出口を通して少量ずつ供給される。
【先行技術文献】
【特許文献】
【０００４】
【特許文献１】実開平４−２７７５２号公報
【発明の概要】
【発明が解決しようとする課題】
【０００５】
しかしながら、従来の振り出し容器にあっては、内容物をスムーズに供給させることについて未だ改善の余地があった。すなわち、振り出し容器では、例えば振出口に向けてまとまった量の内容物が一気に流れ込んだ際、内容物の自重等の影響により、振出口の周辺で内容物が圧縮されて固まる可能性がある。この場合には、振出口が詰まり、内容物のスムーズな供給が阻害される可能性がある。
【０００６】
本発明は、内容物をスムーズに供給できる振り出しキャップを提供することを目的とする。
【課題を解決するための手段】
【０００７】
上記課題を解決するために、本発明は以下の手段を提案している。
本発明の一態様に係る振り出しキャップは、内容物が収容される容器本体に装着され、内容物を振り出す振出口を有するキャップ本体と、前記キャップ本体の内側において、前記振出口に対して接近離間可能に配設された可動部と、前記可動部に連係するとともに、前記キャップ本体に設けられ、前記キャップ本体の外側から前記可動部を操作する操作部と、を備えている。
【０００８】
この構成によれば、可動部が振出口に接近離間する方向に移動することで、振出口の周辺で圧縮されて固まった内容物がキャップ本体内で撹拌される。これにより、振出口の周辺で圧縮されて固まった内容物が粉砕される。その結果、振出口の詰まりが解消され、振出口を通じて内容物をスムーズに供給することができる。
特に、操作部がキャップ本体に設けられているため、振出口が下方を向いた振り出し姿勢の状態で可動部を動作させることができる。これにより、任意のタイミングで可動部を動作させることができるので、優れた操作性を具備させることができる。
【０００９】
上記態様に係る振り出しキャップにおいて、前記キャップ本体は、前記可動部の往復移動を案内するガイド部を備えていてもよい。
この構成によれば、可動部の往復移動が内容物によって阻害されるのを抑制し、可動部を所望の方向に安定して移動させることができる。
【００１０】
上記態様に係る振り出しキャップにおいて、前記操作部は、弾性変位可能に、前記キャップ本体と一体に形成され、前記可動部は、前記操作部とは別体で形成され、前記操作部に取り付けられていてもよい。
この構成によれば、可動部が操作部と別体で形成されているため、振り出しキャップの成形が容易になる。
また、操作部が弾性変位可能にキャップ本体と一体に形成されているため、操作部の押し込み操作と、押し込み操作の解除後における操作部の復元変位と、により可動部を簡単に往復動作させることができる。これにより、操作性の更なる向上を図ることができる。
【００１１】
上記態様に係る振り出しキャップにおいて、前記可動部は、前記振出口に向かうに従い先細る先鋭形状部分を有していてもよい。
この構成によれば、振出口の周辺で圧縮されて固まった内容物を粉砕し易くなる。これにより、内容物の詰まりを速やかに解消できる。
【００１２】
上記態様に係る振り出しキャップにおいて、前記可動部は、前記振出口の開口方向から見た平面視で、前記振出口の少なくとも一部と重なり合うとともに、前記振出口に対して前記開口方向に移動可能に構成されていてもよい。
この構成によれば、可動部が振出口に対して開口方向に接近離間するので、振出口周辺の詰まりをより確実に解消し易くなる。
【００１３】
上記態様に係る振り出しキャップにおいて、前記可動部は、前記振出口に接近した接近位置において、前記振出口との間に隙間を有し、前記振出口と前記キャップ本体の内側とが連通していてもよい。
この構成によれば、振出口がキャップ本体内に常時連通するので、可動部の動作を伴わずに内容物を供給することが可能である。これにより、操作性の更なる向上を図ることができる。
【００１４】
上記態様に係る振り出しキャップにおいて、前記可動部は、前記振出口に接近した接近位置で前記振出口を閉塞し、前記振出口から離間した離間位置で前記振出口を開放されていてもよい。
この構成によれば、接近位置において振出口が閉塞されているため、例えば振り出し容器が倒れる等した際に内容物が予期せず流出するのを抑制できる。また、振り出し容器内の気密を保ちやすくなるので、内容物の酸化や湿気等によるダマのような固まりの発生を抑制できる。
【発明の効果】
【００１５】
本発明によれば、内容物をスムーズに供給できる。
【図面の簡単な説明】
【００１６】
【図１】第１実施形態に係る振り出し容器の部分断面図である。
【図２】第１実施形態に係る振り出し容器の平面図である。
【図３】第１実施形態に係る振り出し容器の動作説明図である。
【図４】第１実施形態に係る振り出し容器の動作説明図である。
【図５】第２実施形態に係る振り出し容器の部分断面図である。
【図６】第２実施形態に係る振り出し容器の動作説明図である。
【図７】第２実施形態に係る振り出し容器の動作説明図である。
【発明を実施するための形態】
【００１７】
以下、本発明に係る実施形態について図面を参照して説明する。なお、以下の説明では、本発明に係る振り出しキャップが容器本体に取り付けられて構成された振り出し容器について説明する。
（第１実施形態）
図１に示すように、振り出し容器１は、有底筒状の容器本体１１と、容器本体１１に着脱可能に装着された有頂筒状の振り出しキャップ１２と、を備えている。容器本体１１及び振り出しキャップ１２は、それぞれの中心軸が共通軸上に位置している。以下、容器本体１１及び振り出しキャップ１２の共通軸をキャップ軸Ｏ１といい、正立状態においてキャップ軸Ｏ１に沿う容器本体１１側を単に下側、振り出しキャップ１２側を単に上側という。さらに、上下方向から見た平面視において、キャップ軸Ｏ１に交差する方向を径方向といい、キャップ軸Ｏ１回りに周回する方向を周方向という。
【００１８】
容器本体１１は、内容物が収容可能に構成されている。容器本体１１に収容される内容物は、粉体や粒体等が好適である。
【００１９】
振り出しキャップ１２は、キャップ本体２１と、蓋体２２と、詰まり解消機構２３と、を備えている。
キャップ本体２１は、有頂筒状に形成されている。キャップ本体２１において、周壁部３１の下部は、容器本体１１の口部１１ａに着脱可能に螺着されている。但し、周壁部３１は、アンダーカット嵌合等の螺着以外の方法によって口部１１ａに装着されていてもよい。
【００２０】
キャップ本体２１の天壁部３２は、径方向のうち、第１方向（以下、単に前後方向Ｌ１という。）の一方側（以下、前方とする。）が他方側（以下、後方とする。）に対して上方に位置している。具体的に、天壁部３２は、前側段部４１及び後側段部４２が境界壁４３を介して連なっている。
【００２１】
図１、図２に示すように、前側段部４１は、平面視で前方に突の半円形状に形成されている。前側段部４１には、前側段部４１を上下方向に貫通する複数の振出口４５が形成されている。各振出口４５は、周方向及び前後方向Ｌ１に間隔をあけて配列されている。本実施形態の各振出口４５は、振出口４５が周方向に並んだ第１振出列４５Ａと、第１振出列４５Ａに対して径方向の外側において振出口４５が周方向に並んだ第２振出列４５Ｂと、を構成している。なお、振出口４５の数やレイアウト等は適宜変更が可能である。
【００２２】
境界壁４３は、キャップ軸Ｏ１に対して前方に位置する部分で、径方向のうち、前後方向Ｌ１に直交する左右方向Ｌ２に沿って延在している。上述した前側段部４１の後端部は、後方に向かうに従い上方に延在した後、境界壁４３の上端部に連なっている。
【００２３】
後側段部４２は、境界壁４３の下端部から後方に連なっている。後側段部４２は、平面視で後方に突の半円形状に形成されている。すなわち、天壁部３２は、前側段部４１及び後側段部４２により平面視で円形状に形成されている。但し、天壁部３２の平面視形状は、円形状に限られない。
【００２４】
左右方向Ｌ２において、後側段部４２の中央部には、操作部４６が後側段部４２に一体で形成されている。操作部４６は、平面視で円形状に形成されるとともに、断面視で上方に膨出するドーム状に形成されている。なお、操作部４６の形成位置は、後側段部４２に限らず、天壁部３２上の任意の位置に形成することが可能である。
【００２５】
操作部４６は、押込部５１と、弾性連結片５２と、取付筒５３と、を備えている。
押込部５１は、平面視で円形状に形成されている。押込部５１の上面は、上下方向に直交する平坦面とされている。押込部５１の上面は、後側段部４２よりも上方であって、境界壁４３の上端縁よりも下方に位置している。
【００２６】
弾性連結片５２は、押込部５１や後側段部４２よりも薄肉に形成され、弾性変形可能に構成されている。具体的に、弾性連結片５２は、平面視において、押込部５１の軸線（以下、操作軸Ｏ２という。）と同軸に配置されたリング状に形成されている。本実施形態において、弾性連結片５２（操作部４６）の前部は、キャップ軸Ｏ１上に位置している。但し、弾性連結片５２は、キャップ軸Ｏ１よりも後方に位置していてもよい。なお、弾性連結片５２の肉厚や形状は、弾性変形可能な構成であれば適宜変更が可能である。
【００２７】
弾性連結片５２は、断面視において、内周から外周に向かうに従い下方に広がる裾野状に形成されている。弾性連結片５２の内周縁は、押込部５１の外周縁に回動可能に連なっている。弾性連結片５２の外周縁は、後側段部４２に回動可能に連なっている。これにより、押込部５１は、弾性連結片５２の弾性変形に伴い、上下方向に弾性変位可能に構成されている。
【００２８】
取付筒５３は、操作軸Ｏ２と同軸に配置された筒状に形成されている。取付筒５３は、押込部５１の外周縁から下方に延設されている。
【００２９】
後側段部４２において、操作部４６の後方に連なる部分には、指入れ凹部５５が形成されている。指入れ凹部５５は、図２に示す平面視において、前後方向Ｌ１に沿って延在している。指入れ凹部５５は、後側段部４２と周壁部３１とがなす角部で後方に開放されている。指入れ凹部５５の底面は、前方に向かうに従い上方に延びる湾曲面とされている。
【００３０】
図１に示すように、後側段部４２の下面には、ガイド部５８が形成されている。ガイド部５８は、操作軸Ｏ２と同軸に配置された筒状に形成されている。ガイド部５８は、平面視において、操作部４６の周囲を取り囲んでいる。ガイド部５８の前端部には、ガイド部５８を前後方向Ｌ１に貫通するスリット６０が形成されている。
【００３１】
蓋体２２は、頂板部６１と、係合壁６２と、を有している。
頂板部６１は、平面視で前側段部４１と同形同大に形成されている。頂板部６１の後端縁は、ヒンジ６５を介して境界壁４３に回動可能に連結されている。頂板部６１において、平面視で振出口４５と重なる部分には、嵌合部６８が形成されている。嵌合部６８は、頂板部６１から下方に突出する筒状に形成されている。嵌合部６８は、平面視において各振出口４５と重なる位置に各別に形成されている。嵌合部６８は、蓋体２２の閉位置において、各振出口４５内に嵌合されている。
【００３２】
係合壁６２は、頂板部６１の外周縁のうち、後端縁以外の部分から下方に延設されている。係合壁６２は、蓋体２２の閉位置において、周壁部３１の上部に係合（例えば、アンダーカット嵌合）されている。
【００３３】
詰まり解消機構２３は、キャップ本体２１の内側において、操作部４６に連係している。すなわち、詰まり解消機構２３は、操作部４６の操作によって上下方向に移動可能に構成されている。詰まり解消機構２３は、キャップ本体２１内での上下動により内容物を撹拌したり、粉砕したりすることで、振出口４５周辺での内容物の詰まりを解消する。具体的に、詰まり解消機構２３は、連結部７１と、可動部７２と、を備えている。
【００３４】
連結部７１は、内筒８１と、外筒８２と、スポーク部８３と、突片部８４と、を備えている。
内筒８１の上端部は、上述した取付筒５３内に嵌合されている。すなわち、詰まり解消機構２３は、内筒８１を介して操作部４６に連結されている。
【００３５】
外筒８２は、内筒８１の下端部の周囲を径方向の外側から取り囲んでいる。外筒８２は、詰まり解消機構２３の上下動に伴い、ガイド部５８の内側を上下動する。外筒８２の外周面は、ガイド部５８の内周面に近接又は当接している。すなわち、連結部７１は、操作部４６の押し込み操作に伴い、外筒８２がガイド部５８に案内されながら上下動する。
【００３６】
スポーク部８３は、内筒８１と外筒８２との間を接続している。スポーク部８３は、周方向に間隔をあけて複数配設されている。
突片部８４は、外筒８２から前方に突設されている。突片部８４は、ガイド部５８のスリット６０を通じて境界壁４３よりも前方に突出している。
【００３７】
図２に示すように、可動部７２は、突片部８４の前端部から前方に突設されている。すなわち、可動部７２は、連結部７１を介して操作部４６に連結されている。可動部７２は、平面視で突片部８４の前端部を中心とする扇形の枠状に形成されている。具体的に、可動部７２は、第１直線部９０と、第２直線部９１と、内側円弧部９２と、外側円弧部９３と、を備えている。
【００３８】
第１直線部９０及び第２直線部９１は、突片部８４の前端部から前方に向かうに従い左右方向Ｌ２で互いに離間する方向に延在している。各直線部９０，９１は、平面視において、上述した振出列４５Ａ，４５Ｂよりも左右方向Ｌ２の外側に位置している。
【００３９】
内側円弧部９２は、第１直線部９０及び第２直線部９１における前後方向Ｌ１の中間部分同士を接続している。内側円弧部９２は、上下方向（振出口４５の開口方向）から見た平面視において、突片部８４の前端部を中心とし、第１振出列４５Ａを構成する各振出口４５の中心を通る円弧状に形成されている。内側円弧部９２における前後方向Ｌ１の幅は、振出口４５の内径よりも狭くなっている。したがって、内側円弧部９２は、振出口４５における前後方向の中央部に平面視で重なり合っている。なお、内側円弧部９２は、平面視において上述した第１振出列４５Ａの一部に重なり合っていればよい。
【００４０】
外側円弧部９３は、第１直線部９０及び第２直線部９１の前端部同士を接続している。外側円弧部９３は、平面視において、突片部８４の前端部を中心とし、第２振出列４５Ｂを構成する各振出口４５の中心を通る円弧状に形成されている。内側円弧部９２における前後方向Ｌ１の幅は、振出口４５の内径よりも狭くなっている。したがって、外側円弧部９３は、振出口４５における前後方向の中央部に平面視で重なり合っている。なお、外側円弧部９３は、平面視において上述した第２振出列４５Ｂの一部に重なり合っていればよい。
【００４１】
図１に示すように、可動部７２の各直線部９０，９１及び各円弧部９２，９３の断面視形状は、上方に向かうに従い先細る三角形状に形成されている。すなわち、可動部７２は、先鋭形状部分を有している。但し、前記先鋭形状部分は、可動部７２の一部に設けても全体に設けてもよく、断面視形状は、例えば台形や矩形等、三角形状以外であってもよい。また、先鋭形状部分は、下方に向けて先鋭していてもよい。本実施形態では、可動部７２が枠状である場合について説明したが、この構成のみに限らず、可動部は板状等であってもよい。この場合、可動部は、例えば平面視で全ての振出口と重なり合う基板と、基板における任意の位置（例えば、各振出口と重なる部分）から上方に突出した先鋭形状部分と、を有する構成であってもよい。
【００４２】
可動部７２は、詰まり解消機構２３の上下動に伴い、前側段部４１の下面に接近離間する。具体的に、可動部７２の上端縁は、前側段部４１の下面に最も近づいた接近位置において、前側段部４１の下面に前側段部４１の下方から近接又は当接する。本実施形態では、可動部７２のうち、各円弧部９２，９３が、詰まり解消機構２３の上下動に伴い、対応する振出口４５に接近離間する。本実施形態において、可動部７２の上端縁は、前側段部４１（振出口４５）の下面に上下方向で隙間をあけて近接している。したがって、本実施形態では、上述した接近位置及び前側段部４１の下面から最も離間した離間位置の双方において、可動部７２と前側段部４１との間を内容物が通過可能に構成されるとともに、振出口４５の全体が容器本体１１（キャップ本体２１の内側）に常時連通している。但し、可動部７２と前側段部４１との間は、少なくとも離間位置において、内容物が通過可能に構成されていればよい。
【００４３】
次に、振り出し容器１の使用方法について説明する。なお、以下の説明では、詰まり解消機構２３が接近位置にある状態を初期状態とする。
図３に示すように、振り出し容器１から内容物を供給するには、まずヒンジ６５回りに蓋体２２を回動させ、振出口４５を開放させる。続いて、振出口４５が下方を向くように振り出し容器１を傾けた状態で、振り出し容器１を振る。すると、容器本体１１内の内容物は、可動部７２の周囲を通過して振出口４５に到達する。振出口４５に到達した内容物は、振出口４５を通じて外部に供給される。
【００４４】
ここで、例えば振出口４５の周辺で内容物が圧縮されて固まり、振出口４５が詰まった場合には、詰まり解消機構２３を動作させる。具体的には、操作部４６の押込部５１を繰り返し押し込む。すると、図３、図４に示すように、押込部５１の押し込み操作と、押し込み操作の解除後における弾性連結片５２の復元変形により、詰まり解消機構２３がキャップ本体２１内で上下動する。これにより、振出口４５の周辺で圧縮されて固まった内容物がキャップ本体２１内で撹拌されることで、内容物が粉砕（分散）される。また、可動部７２が前側段部４１の下面に対して接近離間することで、可動部７２と前側段部４１の下面との間や、可動部７２と振出口４５との間で圧縮されて固まった内容物が粉砕される。その結果、振出口４５の詰まりが解消され、内容物が振出口４５を通じてスムーズに供給される。
【００４５】
このように、本実施形態では、キャップ本体２１の内側で振出口４５に対して接近離間可能に配設された可動部７２と、キャップ本体２１の外側から可動部７２を操作する操作部４６と、を備える構成とした。
この構成によれば、可動部７２の動作によって振出口４５周辺で圧縮されて固まった内容物を粉砕することができる。これにより、振出口４５の詰まりが解消され、振出口４５を通じて内容物をスムーズに供給することができる。
特に、操作部４６がキャップ本体２１に設けられているため、振出口４５が下方を向いた振り出し姿勢の状態で可動部７２を動作させることができる。これにより、任意のタイミングで可動部７２を動作させることができるので、優れた操作性を具備させることができる。
【００４６】
本実施形態では、キャップ本体２１が可動部７２の往復移動を案内するガイド部５８を備えている構成とした。
この構成によれば、可動部７２の往復移動が内容物によって阻害されるのを抑制し、可動部７２を所望の方向に安定して移動させることができる。
【００４７】
本実施形態では、可動部７２が操作部４６と別体で形成されているため、振り出しキャップ１２の成形が容易になる。
また、操作部４６が弾性変位可能にキャップ本体２１と一体に形成されているため、操作部４６の押し込み操作と、押し込み操作の解除後における操作部４６の復元変位と、により可動部７２を簡単に往復動作させることができる。これにより、操作性の更なる向上を図ることができる。
【００４８】
本実施形態では、可動部７２が振出口４５に向かうに従い先細る先鋭形状部分を有している構成とした。
この構成によれば、可動部７２と前側段部４１の下面との間や可動部７２と振出口４５との間で圧縮されて固まった内容物を粉砕し易くなる。これにより、内容物の詰まりを速やかに解消できる。
【００４９】
本実施形態では、可動部７２が振出口４５の一部と平面視で重なり合う構成とした。
この構成によれば、可動部７２が振出口４５に対して上下方向に接近離間するので、振出口４５周辺の詰まりをより確実に解消し易くなる。
【００５０】
しかも、本実施形態では、可動部７２の接近位置において、可動部７２と振出口４５との間に隙間を有し、振出口４５とキャップ本体２１内とが連通する構成とした。
この構成によれば、振出口４５がキャップ本体２１内に常時連通するので、可動部７２の動作を伴わずに内容物を供給することが可能である。これにより、操作性の更なる向上を図ることができる。
【００５１】
なお、本実施形態では、接近位置において、可動部７２と振出口４５との間に、上下方向の隙間、及び振出口４５のうち円弧部９２，９３に対して前後両側の隙間（振出口４５と円弧部９２，９３と平面視で重ならない部分）を有することで、振出口４５がキャップ本体２１の内側に常時連通する構成について説明したが、この構成のみに限られない。接近位置において、振出口４５を通じて内容物を通過させるには、可動部７２と振出口４５との間に、上下方向の隙間、及び振出口４５のうち円弧部９２，９３に対して前後両側の隙間の何れかが設けられていればよい。
すなわち、接近位置において、可動部７２が前側段部４１の下面に当接している場合であっても、振出口４５のうち円弧部９２，９３に対して前後両側の隙間が設けられていることで、振出口４５のうち円弧部９２，９３と平面視で重ならない部分を通じて内容物を通過させることができる。また、接近位置において、可動部７２が振出口４５の全体に平面視で重なり合っている場合であっても、可動部７２が振出口４５から上下方向に離間することで、可動部７２と振出口４５との上下方向の隙間から内容物を通過させることができる。
【００５２】
（第２実施形態）
次に、本発明に係る第２実施形態について説明する。以下の説明では、上述した第１実施形態と同様の構成については同一の符号を付して説明を省略する。
図５に示す詰まり解消機構２３において、可動部１００は、振出口４５を開閉する栓部１１０を有している。栓部１１０は、振出口４５に対応して設けられている。
【００５３】
栓部１１０は、有底筒状に形成されている。具体的に、栓部１１０は、底壁部１１１と、底壁部１１１の外周縁から立設されたシール筒１１２と、を有している。
底壁部１１１は、平面視で振出口４５と重なり合う位置に配置されている。本実施形態において、底壁部１１１の外径は、振出口４５の内径よりも大きくなっている。但し、底壁部１１１の外径は、振出口４５の内径以下であってもよい。
【００５４】
シール筒１１２は、上方に向かうに従い外径が漸次縮小するテーパ状に形成されている。シール筒１１２は、詰まり解消機構２３の上下動に伴い、振出口４５に対して進退する。具体的に、シール筒１１２は、詰まり解消機構２３が振出口４５最も接近した接近位置において、振出口４５内に嵌合される。これにより、振出口４５が閉塞される。一方、シール筒１１２は、少なくとも詰まり解消機構２３が振出口４５から最も離間した離間位置において、振出口４５から退避する。これにより、振出口４５が開放される。
【００５５】
本実施形態の振り出し容器１において、内容物を供給するには、図６に示すように、上述した第１実施形態と同様に振出口４５が下方を向くように振り出し容器１を傾ける。この状態で、図７に示すように、操作部４６を押し込むと、可動部７２が振出口４５から離間することで、振出口４５が開放される。その後、振り出し容器１を振ることで、振出口４５を通じて振り出し容器１から内容物が供給される。
【００５６】
振出口４５が詰まった場合には、上述した第１実施形態と同様に、詰まり解消機構２３を上下動させる。その結果、振出口４５の詰まりが解消され、内容物が振出口４５を通じてスムーズに供給される。
【００５７】
本実施形態では、上述した第１実施形態と同様の作用効果を奏することに加え、以下の作用効果を奏する。
すなわち、接近位置において振出口４５が閉塞されているため、例えば振り出し容器１が倒れる等した際に内容物が予期せず流出するのを抑制できる。また、振り出し容器１内の気密を保ちやすくなるので、内容物の酸化や湿気等によるダマのような固まりの発生を抑制できる。
【００５８】
なお、上述した第２実施形態では、可動部１００が振出口４５に進退することで、振出口４５を開閉する構成について説明したが、この構成のみに限られない。例えば可動部１００が、振出口４５の内径よりも小さく、振出口４５内に進退する突起部を有する構成であってもよい。これにより、振出口４５内での詰まりを解消し易くなる。
【００５９】
以上、本発明の好ましい実施形態を説明したが、本発明はこれら実施形態に限定されることはない。本発明の趣旨を逸脱しない範囲で、構成の付加、省略、置換及びその他の変更が可能である。本発明は上述した説明によって限定されることはなく、添付の特許請求の範囲によってのみ限定される。
上述した実施形態では、天壁部３２に振出口４５が形成された構成について説明したが、この構成のみに限らず、周壁部３１等に振出口４５を形成してもよい。
上述した実施形態では、内容物の自重等の影響で振出口４５が詰まった場合を例にして説明したが、この構成のみに限られない。例えば内容物が、湿気等の影響によりダマのような固まりになった場合であっても詰まり解消機構２３を動作させることで、振出口４５の詰まりを解消できる。
【００６０】
上述した実施形態では、可動部の一部が振出口４５と平面視で重なり合う構成について説明したが、この構成のみに限られない。可動部が振出口４５の全部と平面視で重なり合ってもよく、可動部と振出口４５は平面視で重なり合わなくてもよい。
上述した実施形態では、詰まり解消機構と操作部とが別体で形成され、操作部とキャップ本体（天壁部）とが一体で形成された構成について説明したが、この構成のみに限られない。例えば、詰まり解消機構と操作部が一体で形成され、操作部とキャップ本体とが別体で形成されていてもよい。また、詰まり解消機構、操作部及びキャップ本体がそれぞれ別体で形成されていてもよい。
上述した実施形態では、可動部が連結部を介して操作部に取り付けられる構成について説明したが、この構成のみに限られない。すなわち、可動部が操作部に直接取り付けられていてもよい。
【００６１】
上述した実施形態では、可動部７２を平面視扇状に形成した場合について説明したが、この構成のみに限られない。可動部の平面視形状は、扇状に限らず、直線状、波状あるいは平板状に形成してもよい。
【００６２】
上述した実施形態では、可動部が上下動することにより、振出口４５に上下方向接近離間する構成について説明したが、この構成のみに限られない。例えば、可動部は、上下方向に交差する方向（例えば、前後方向Ｌ１や左右方向Ｌ２）に移動することで、振出口４５に接近離間する構成であってもよい。また、上述した実施形態では、可動部が直線状に移動する構成について説明したが、この構成のみに限らず、円弧（回動）移動等であってもよい。
上述した実施形態では、操作部４６が弾性変位可能に構成された場合について説明したが、この構成のみに限られない。また、操作部の操作方向は、上述したように振出口４５に接近離間する方向に可動部を動作させる構成であれば、適宜変更可能である。
【００６３】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００６４】
１１…容器本体
１２…振り出しキャップ
２１…キャップ本体
３２…天壁部
４５…振出口
４６…操作部
５８…ガイド部
７２…可動部
【図１】
2019189273.tif 000003
【図２】
2019189273.tif 000004
【図３】
2019189273.tif 000005
【図４】
2019189273.tif 000006
【図５】
2019189273.tif 000007
【図６】
2019189273.tif 000008
【図７】
2019189273.tif 000009